(57)【要約】【課題】本発明は、保管または携帯時に本体内部の密閉を安定して維持することができるようにした密閉構造を有するスティック型化粧品容器を提供することに目的がある。【解決手段】  本発明は、密閉構造を有するスティック型化粧品容器に関し、本体と、前記本体とともに回転作動し、ネジ突起が形成された作動部材と、前記本体の一側に結合され、入口部が形成された案内管と、前記作動部材の回転作動によって案内管に沿って移動し、スティック化粧品が付着され、ネジ溝が形成された化粧品皿と、前記本体の他側に結合され、化粧道具が備えられた道具結合部材、及び前記本体の両側に結合される第１、２オーバーキャップを含み、前記作動部材と案内管、及び作動部材と道具結合部材の間がそれぞれ第１、２密閉リングによって密閉されると同時に、前記案内管の入口部が第１オーバーキャップによって密閉されることを特徴とする。【選択図】図３
2020179164.tif 000002
【特許請求の範囲】
【請求項１】
本体と、
前記本体とともに回転作動し、ネジ突起が形成された作動部材と、
前記本体の一側に結合され、入口部が形成された案内管と、
前記作動部材の回転作動によって案内管に沿って移動し、スティック化粧品が付着され、ネジ溝が形成された化粧品皿と、
前記本体の他側に結合され、化粧道具が備えられた道具結合部材と
前記本体の両側に結合される第１、２オーバーキャップとを含み、
前記作動部材と案内管、及び作動部材と道具結合部材の間がそれぞれ第１、２密閉リングによって密閉されると同時に、前記案内管の入口部が第１オーバーキャップによって密閉されることを特徴とする、密閉構造を有するスティック型化粧品容器。
【請求項２】
前記案内管の内周縁と化粧品皿の外周縁には、それぞれ回転防止突起と回転防止溝が形成されて互いに挟まれることを特徴とする、請求項１に記載の密閉構造を有するスティック型化粧品容器。
【請求項３】
前記化粧品皿の内側には、結合孔が形成され、前記結合孔に密閉栓が結合されることを特徴とする、請求項１に記載の密閉構造を有するスティック型化粧品容器。
【請求項４】
前記化粧道具は、道具本体と塗布部からなり、前記道具本体は、道具結合部材に着脱可能に結合されることを特徴とする、請求項１に記載の密閉構造を有するスティック型化粧品容器。
【請求項５】
前記第１オーバーキャップの内側には、密閉部材が形成されて本体と第１オーバーキャップの結合時に案内管の入口部を覆いながら前記案内管の上部外周縁に密着することを特徴とする、請求項１に記載の密閉構造を有するスティック型化粧品容器。
【発明の詳細な説明】
【技術分野】
【０００１】
本発明は、スティック型化粧品容器に関し、さらに詳細には、スティック化粧品の引出または化粧道具の結合のために本体に設けられた作動部材と案内管及び作動部材と道具結合部材の間がそれぞれ第１、２密閉リングによって密閉されると同時に、前記案内管の入口部が第１オーバーキャップによって密閉されることによって、本体内部の密閉が安定して維持される密閉構造を有するスティック型化粧品容器に関する。
【背景技術】
【０００２】
昨今、老若男女を問わず化粧品を求める需要が増えてきている。このような化粧品は、用途に応じて肌に保湿効果を与えて栄養を供給するための基礎化粧品と、肌のトーンを整えたり特定部位を強調したりするための色調化粧品に分けることができる。
【０００３】
前記色調化粧品は、肌のシミを隠し、肌のトーンを均一にするためのベースメイクアップ化粧品と、唇、頬、目元などの部位に色を与えて強調するためのポイントメイクアップ化粧品に分けることができる。前記ベースメイクアップ化粧品に属するものとしては、ファンデーション、パウダーなどがあり、前記ポイントメイクアップ化粧品に属するものとしては、頬紅、口紅、アイライナー、マスカラなどがある。
【０００４】
前記色調化粧品のうち、ファンデーションや頬紅などの製品は、開口部が広い皿状の容器に固形の状態で収容され、パフ（ｐｕｆｆ）を利用して化粧する方式が主だった。
【０００５】
換言すれば、ファンデーションや頬紅など粉体が固形をなす化粧品の容器は、内容物を収容する容器と、前記容器にヒンジ軸で軸結合されて開閉される蓋と、前記容器と蓋の間に形成されて内容物を肌に塗布するパフで構成される。これによって、使用者が蓋を開放し、パフに内容物をつけて肌に塗布して使用することができるようにする。
【０００６】
しかし、このような従来の化粧品容器は、パフを持って容器に内蔵された化粧品をつけて肌に塗らなければならないので、使用上不便さがあり、パフなどの別途の化粧道具を備えなければならないので面倒であり、化粧道具を紛失するなどの様々な問題点があった。
【０００７】
このような問題点を解決するために、韓国登録実用新案第２０−０４７９０３１号でスティック型ファンデーション容器が開示されたが、前記従来技術は、ファンデーションスティックとパフが一体化されて携帯性及び清潔性を確保することができ、洗浄後きれいな状態で繰り返して使用することができる着脱可能なブラシパフを備えたスティック型ファンデーション容器であって、固定ボディーの一側にはブラシパフが結合され、他側には互いにネジ結合された回転ボディーと作動部に回転作動によって外部に引出または内部に挿入されるファンデーションスティックが形成され、前記ブラシパフとファンデーションスティックを開閉する第１、２キャップで構成されることを特徴とする。
【０００８】
しかし、前記従来のファンデーションスティックは、固定ボディーの内側に形成された作動部と前記作動部の外側にネジ結合された回転ボディー及び前記回転ボディーを開閉する第２キャップ間の密閉がなされないため、長時間の使用または保管時に前記回転ボディーの内側に内蔵されたファンデーションスティックの水分が蒸発して乾いてしまい、これにより前記ファンデーションスティックが割れて変形または破損する問題点があった。
【０００９】
これによって、固形化粧品と化粧道具が一体化されて携帯性及び清潔性を有すると同時に、密閉を維持することができる固形化粧品容器の開発が求められている。
【先行技術文献】
【特許文献】
【００１０】
韓国登録実用新案第２０−０４７９０３１号（２０１５．１２．２１．公告）、スティック型ファンデーション容器
【発明の概要】
【発明が解決しようとする課題】
【００１１】
本発明は、本体の一側に作動部材と案内管及び化粧品皿からなるスティック化粧品引出構造を形成し、他側に道具結合部材を介して化粧道具を結合し、前記作動部材と案内管及び作動部材と道具結合部材の間がそれぞれ第１、２密閉リングによって密閉されると同時に、前記案内管の入口部が第１オーバーキャップによって密閉されるようにすることで、保管または携帯時に本体内部の密閉を安定して維持することができるようにした密閉構造を有するスティック型化粧品容器を提供することに目的がある。
【課題を解決するための手段】
【００１２】
本発明の一実施例に係るスティック型化粧品容器は、本体と、前記本体とともに回転作動し、ネジ突起が形成された作動部材と、前記本体の一側に結合され、入口部が形成された案内管と、前記作動部材の回転作動によって案内管に沿って移動し、スティック化粧品が付着され、ネジ溝が形成された化粧品皿と、前記本体の他側に結合され、化粧道具が備えられた道具結合部材、及び前記本体の両側に結合される第１、２オーバーキャップを含み、前記作動部材と案内管及び作動部材と道具結合部材の間がそれぞれ第１、２密閉リングによって密閉されると同時に、前記案内管の入口部が第１オーバーキャップによって密閉されることを特徴とする。
【００１３】
また、前記案内管の内周縁と化粧品皿外周縁には、それぞれ回転防止突起と回転防止溝が形成されて互いに挟まれることができる。
【００１４】
また、前記化粧品皿の内側には、結合孔が形成され、前記結合孔に密閉栓が結合されることができる。
【００１５】
また、前記化粧道具は、道具本体と塗布部からなり、前記道具本体は、道具結合部材に着脱可能に結合されることができる。
【００１６】
また、前記第１オーバーキャップの内側には、密閉部材が形成されて本体と第１オーバーキャップの結合時に案内管の入口部を覆いながら前記案内管の上部外周縁に密着することができる。
【発明の効果】
【００１７】
本発明の実施例によれば、スティック化粧品の引出または化粧道具の結合のために本体に設けられた作動部材と案内管及び作動部材と道具結合部材の間がそれぞれ第１、２密閉リングによって密閉されると同時に、前記案内管の入口部が第１オーバーキャップによって密閉され、これにより本体内部の密閉が安定して維持され、前記本体内に収容されたスティック化粧品の変形または破損を防止することができる効果がある。
【００１８】
また、本発明の実施例によれば、本体の一側にスティック化粧品引出構造を形成し、他側に化粧道具を着脱可能に結合し、便利かつ衛生的に使用することができることはもとより、前記化粧道具の交替が容易な効果がある。
【図面の簡単な説明】
【００１９】
【図１】本発明の実施例に係るスティック型化粧品容器の斜視図である。
【図２】本発明の実施例に係るスティック型化粧品容器の分解斜視図である。
【図３】本発明の実施例に係るスティック型化粧品容器の断面図である。
【図４】本発明の実施例によって本体から第１オーバーキャップを分離する形態を例示した断面図である。
【図５】本発明の実施例によって本体を回転させてスティック化粧品を外部に引き出す形態を例示した断面図である。
【図６】本発明の実施例によって本体から第２オーバーキャップを分離する形態を例示した断面図である。
【図７】本発明の実施例によって使用が終了したスティック型化粧品容器の断面図である。
【発明を実施するための形態】
【００２０】
以下の本発明に関する詳細な説明は、本発明が実施され得る実施例であり、当該実施例の例示として図示された添付の図面を参照する。これら実施例は、当業者が本発明を実施するに足りるよう詳細に説明される。本発明の多様な実施例は、互いに異なるが、相互排他的である必要はないことを理解されたい。例えば、ここに記載されている特定の形状、構造及び特性は、一実施例に関連して本発明の思想及び範囲を逸脱せずに他の実施例で具現され得る。また、それぞれの記載された実施例内の個別の構成要素の位置または配置は、本発明の思想及び範囲を逸脱せずに変更され得ることを理解されたい。
【００２１】
したがって、後述する詳細な説明は、限定的な意味をもって採用しようとするものではなく、本発明の範囲は、適切に説明されるならその請求項が主張することと均等なすべての範囲と、併せて添付された請求項によってのみ限定される。図面で類似する参照符号は、いくつかの側面において同一か類似する機能を指称する。
【００２２】
本発明で使用される用語は、本発明での機能を考慮しながら可能な現在広く使用される一般的な用語を選択したが、これは当分野に従事する技術者の意図または判例、新たな技術の出現などによって変わる場合がある。また、特定の場合は出願人が任意に選定した用語もあり、この場合は該当する発明の説明部分において詳細にその意味を記載する。したがって、本発明で使用される用語は単なる用語の名称ではなく、その用語が持つ意味と本発明の全般にわたる内容を基に定義されなければならない。
【００２３】
本発明で、ある部分がある構成要素を“含む”とする場合、これは特に反対の記載がない限り、他の構成要素を除外するものではなく、他の構成要素をさらに含み得ることを意味する。
【００２４】
図１ないし図７を参照して本発明の一実施例に係る密閉構造を有するスティック型化粧品容器について説明する。
【００２５】
図１は本発明の実施例に係るスティック型化粧品容器の斜視図であり、図２は本発明の実施例に係るスティック型化粧品容器の分解斜視図であり、図３は本発明の実施例に係るスティック型化粧品容器の断面図である。
【００２６】
図示されたように、本発明の一実施例に係るスティック型化粧品容器は、本体１０と、作動部材２０と、案内管３０と、化粧品皿４０と、道具結合部材５０及び第１、２オーバーキャップ６０、７０を含んで構成される。
【００２７】
前記本体１０は、図２に示すように、上部と下部が開放された円筒形態であって、使用者によって回転されながらスティック化粧品Ｓを外部に引出または内部に挿入させる。
【００２８】
前記本体１０の内側には、本体内壁１１が下側に延長形成される。ここで、前記本体内壁１１の端部には、少なくとも一つ以上の回転作動溝１２が形成されるが、前記回転作動溝１２は、本体１０の回転運動を作動部材２０に伝達するようになる。
【００２９】
そして、図３に示すように、前記本体１０の開放された上部内周縁には、第１着座段部１４が形成されて案内管３０が着座され、開放された下部内周縁には、第２着座段部１６が形成されて道具結合部材５０の着座突輪５６が着座される。
【００３０】
前記作動部材２０は、内部が中空の管形状で、本体１０の内側に結合されて前記本体１０とともに回転作動する。
【００３１】
前記作動部材２０の外周縁には、突出部２１が水平に延長形成される。前記突出部２１には、少なくとも一つ以上の回転作動突起２２が外側に突出形成されるが、前記回転作動突起２２は、本体１０の回転作動溝１２に挿入される。これによって、使用者が本体１０を回転作動させると前記本体１０とともに作動部材２０も回転する。
【００３２】
そして、前記作動部材２０の突出部２１の上部と下部外周縁には、それぞれ第１密閉リング挿入溝２３と第２密閉リング挿入溝２５が形成されて、前記第１、２密閉リング挿入溝２３、２５にそれぞれ弾性材質の第１、２密閉リングＲ１、Ｒ２が嵌められる。
【００３３】
詳しく説明すると、図３の部分拡大図面に示すように、前記第１密閉リングＲ１は、作動部材２０の第１密閉リング挿入溝２３に嵌められた状態で案内管３０の内周縁に密着し、前記第２密閉リングＲ２は、作動部材２０の第２密閉リング挿入溝２５に嵌められた状態で道具結合部材５０の第１延長突輪５３の内周縁に密着する。換言すれば、前記作動部材２０と案内管３０の間の隙間は、第１密閉リングＲ１によって密閉され、前記作動部材２０と道具結合部材５０の間の隙間は、第２密閉リングＲ２によって密閉される。ここで、前記第１密閉リングＲ１は、作動部材２０と案内管３０の間に位置するので、本体１０の回転時に前記本体１０とともに回転する作動部材２０の回転感触を向上させるのはもとより、作動部材２０の回転時に案内管３０がぐらつくことを防止する役割も可能である。
【００３４】
ここで、前記第１密閉リングＲ１と第２密閉リングＲ２は、スティック型化粧品容器内部の密閉力向上のために軟質の材質で形成されるが、ＮＢＲ（ｎｉｔｒｉｌｅ−ｂｕｔａｄｉｅｎｅ  ｒｕｂｂｅｒ）、ウレタンゴム（ｕｒｅｔｈａｎｅ  ｒｕｂｂｅｒ）、天然ゴム（ｎａｔｕｒａｌ  ｒｕｂｂｅｒ）、エラストマー（ｅｌａｓｔｏｍｅｒ）、シリコーン（ｓｉｌｉｃｏｎｅ）のうちいずれか一つ以上の材質または弾性を有するポリプロピレン（ｐｏｌｙｐｒｏｐｙｌｅｎｅ）、ポリエチレン（ｐｏｌｙｅｔｈｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、ＴＰＥ（Ｔｈｅｒｍｏ  Ｐｌａｓｔｉｃ  Ｅｌａｓｔｏｍｅｒ）のうちいずれか一つ以上の材質で形成されることが好ましい。もちろん、前記第１密閉リングＲ１と第２密閉リングＲ２は、上述した材質に限定されるものではなく、一定の弾性を有する範囲内で多様な材質で形成されてもよい。
【００３５】
また、前記作動部材２０の内周縁には、ネジ突起２４が形成されて化粧品皿４０の螺旋溝４４ａに結合される。
【００３６】
前記案内管３０は、本体１０の開放された上部に回転可能に結合されて上側に延長形成され、内側に挿入された化粧品皿４０の移動を案内するようになる。
【００３７】
すなわち、図３に示すように、前記案内管３０は、本体１０の内周縁にアンダーカット結合されると同時に、作動部材２０の外周縁にアンダーカット結合されて本体１０と作動部材２０から分離されずにその場で回転することができる。
【００３８】
本発明の一実施例に係るスティック型化粧品容器の図面では、本体１０と案内管３０及び作動部材２０と案内管３０が互いにアンダーカット結合されるものを示したが、これに限定されるものではなく、前記案内管３０が本体１０から分離されずに容易に回転することができる範囲で多様な方式の結合構造を有することができる。
【００３９】
そして、前記案内管３０の一側には、化粧品スティックＳが出入りする入口部３２が形成され、前記入口部３２の反対側は、本体１０の第１着座段部１４に着座される。
【００４０】
図２に示すように、前記案内管３０の内周縁には、回転防止突起３６が形成されてもよい。前記回転防止突起３６は、垂直に、すなわち、化粧品皿４０の移動方向に長く形成され、化粧品皿４０の外周縁に形成された回転防止溝４６に挿入される。
【００４１】
前記化粧品皿４０は、案内管３０の内側に挿入されて作動部材２０の内側に結合され、前記作動部材２０の回転作動によって案内管３０に沿って移動するようになる。
【００４２】
前記化粧品皿４０は、皿部４２と前記皿部４２下側に延長形成されたネジ結合部４４からなってもよい。
【００４３】
前記皿部４２には、スティック化粧品Ｓが付着されて前記皿部４２の直線移動によってスティック化粧品Ｓが本体１０から外側に引出または内側に引込まれる。
【００４４】
前記皿部４２の外周縁には、回転防止溝４６が垂直に長く形成されてもよいが、前記回転防止溝４６には、案内管３０の回転防止突起３６が挿入される。これによって、使用者が本体１０を回転させる時、前記化粧品皿４０が案内管３０内で空回りせずに前記案内管３０とともに固定される。
【００４５】
そして、前記ネジ結合部４４の外周縁には、ネジ溝４４ａが形成されるが、前記ネジ結合部４４が作動部材２０の中央に挿入されながら前記ネジ結合部４４の外周縁に形成されたネジ溝４４ａと作動部材２０の内周縁に形成されたネジ突起２４が互いにネジ結合される。
【００４６】
前記ネジ結合部４４の内側には、結合孔４８が形成され、前記結合孔４８に密閉栓８０が結合されてもよい。図３に示すように、前記密閉栓８０は、化粧品皿４０下部の密閉を補完することができ、円板形状の密閉部８２と前記密閉部８２の一側から延長形成されて結合孔４８に嵌められる嵌合部８４からなってもよい。
【００４７】
ここで、前記密閉栓８０は、弾性を有するポリエチレン（ｐｏｌｙｅｔｈｙｌｅｎｅ）、ポリプロピレン（ｐｏｌｙｐｒｏｐｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、ＴＰＥ（Ｔｈｅｒｍｏ  Ｐｌａｓｔｉｃ  Ｅｌａｓｔｏｍｅｒ）のうちいずれか一つ以上の材質で形成されることが好ましい。
【００４８】
前記道具結合部材５０は、本体１０の下部、すなわち、案内管３０の反対側に固定結合され、前記道具結合部材５０の内側には、化粧道具９０が結合される。
【００４９】
前記道具結合部材５０の中央には、道具結合溝５２が形成され、前記道具結合溝５２の外側に一定の間隔で離隔されて第１延長突輪５３と第２延長突輪５５が本体１０の内側に延長形成されてもよい。
【００５０】
前記道具結合溝５２には、ネジ山が形成され、前記第１延長突輪５３の内周縁には、作動部材２０に嵌められた第２密閉リングＲ２が密着し、前記第２延長突輪５５の外周縁は、本体１０の内周縁と密着する。
【００５１】
また、前記道具結合部材５０の外周縁には、着座突輪５６が突出形成されて本体１０の第２着座段部１６に着座される。
【００５２】
前記化粧道具９０は、スティック化粧品Ｓを肌に塗布する道具であって、道具本体９２と塗布部９４及び整列部９６からなってもよい。
【００５３】
前記道具本体９２の中央には、結合棒９２ａが突出形成されるが、前記結合棒９２ａの外周縁にネジ山が形成されて道具結合部材５０の道具結合溝５２に形成されたネジ山とネジ結合されてもよい。すなわち、本体１０の一側にスティック化粧品Ｓ引出構造を形成し、他側に化粧道具９０を着脱可能に結合することで、スティック型化粧品容器をより便利かつ衛生的に使用することができることはもとより、前記化粧道具９０を容易に交替することができるようになる。
【００５４】
図２に示すように、前記道具本体９２の外周縁には、整列部９６の移動を案内する移動案内溝９２ｂが整列部９６の移動方向に沿って垂直に長く形成され、前記移動案内溝９２ｂ内には、整列部９６の移動を一時的に制限する移動制限突起９２ｃが形成されてもよい。
【００５５】
そして、前記塗布部９４は、前記道具本体９２の内側に植毛され、前記道具本体９２から少なくとも一部分が外部に露出してもよい。
【００５６】
ここで、前記塗布部９４は、ブラシ（Ｂｒｕｓｈ）やパフ（Ｐｕｆｆ）などから形成されてもよく、これ以外にもスティック化粧品引出容器１０に内蔵されたスティック化粧品Ｓの種類または化粧方法などによって多様な形態で形成されてもよい。
【００５７】
また、前記整列部９６は、塗布部９４を覆いながら道具本体９２の外側に垂直に移動可能に結合される。
【００５８】
前記整列部９６の一側端部には、係止爪９６ａが外側に突出形成されて道具結合部材５０の端部に着座される。そして、前記整列部９６の内周縁には、移動案内突起９６ｂが突出形成されるが、前記移動案内突起９６ｂは、道具本体９２の移動案内溝９２ｂに挿入されて整列部９６の直線移動を案内するようになり、道具本体９２の移動制限突起９２ｃに係止されながら移動が制限されて前記整列部９６が道具本体９２から完全に引出あるいは挿入された時に使用者の意図と関係なく遊動されることを防止することができる。
【００５９】
すなわち、前記整列部９６は、道具本体９２から塗布部９４の露出された部分に直線移動しながら外側に広がった塗布部９４を中央に集めるようになる。詳しく説明すると、本体１０の一側に第２オーバーキャップ７０を結合しようとする場合、前記整列部９６を道具本体９２から引出させながら外側に広がった塗布部９４を中央に集めて第２オーバーキャップ７０に挿入が容易にすることができ、化粧をしようとする場合、前記整列部９６を道具本体９２の内側に挿入して前記整列部９６が化粧の妨げにならないようにすると同時に、塗布部９４が外側に広がることができるようにすることで、化粧品を肌に広く伸ばして塗るのに適するようにする。
【００６０】
前記第１、２オーバーキャップ６０、７０は、図３に示すように、本体１０の両側にそれぞれ結合される。
【００６１】
前記第１オーバーキャップ６０は、案内管３０を覆いながら本体１０に着脱可能に結合されて前記案内管３０及び案内管３０内に収容されたスティック化粧品Ｓを保護するようになる。
【００６２】
前記第１オーバーキャップ６０の内側上端には、密閉部材６２が形成されてもよい。前記密閉部材６２は、本体１０と第１オーバーキャップ６０の結合時に案内管３０の入口部３２を覆いながら前記案内管３０の上部外周縁に密着し、これを介して案内管３０内部を密閉するようになる。
【００６３】
そして、前記密閉部材６２は、第１オーバーキャップ６０に固定結合される結合部６２ａと前記結合部６２ａから下側に延長形成されて案内管３０の上部外周縁を覆いながら密着する密着部６２ｂからなってもよい。ここで、前記密閉部材６２の密着部６２ｂを案内管３０の上部にタイトに嵌めることができるように、前記密着部６２ｂの内径は、案内管３０の外径と同じか、さらに小さく形成されることが適切である。
【００６４】
また、前記密閉部材６２は、密閉栓８０と同様に、弾性を有するポリエチレン（ｐｏｌｙｅｔｈｙｌｅｎｅ）、ポリプロピレン（ｐｏｌｙｐｒｏｐｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、ＴＰＥ（Ｔｈｅｒｍｏ  Ｐｌａｓｔｉｃ  Ｅｌａｓｔｏｍｅｒ）のうちいずれか一つ以上の材質で形成されることが好ましい。
【００６５】
すなわち、従来にはスティック型化粧品容器の本体と作動部及び皿の間で密閉がなされないため、長時間の使用または保管時に前記本体に内蔵されたスティック化粧品の水分が蒸発して乾いてしまい、これによって前記スティック化粧品が割れて変形または破損する問題点があった。
【００６６】
これに対して、本発明の一実施例に係るスティック型化粧品容器は、図７の部分拡大図面に示すように、作動部材２０と案内管３０の間の隙間を第１密閉リングＲ１で密閉させ、作動部材２０と道具結合部材５０の間の隙間を第２密閉リングＲ２で密閉させると同時に、案内管３０の入口部３２を第１オーバーキャップ６０の密閉部材６２で密閉させる密閉構造を有するようにした。
【００６７】
換言すれば、スティック化粧品Ｓを中心に３つの部分、すなわち、作動部材２０と案内管３０の間、作動部材２０と道具結合部材５０の間、案内管３０の入口部３２部分に、密閉構造を形成し、これを介してスティック型化粧品容器の保管または携帯時に本体１０内部の密閉が安定して維持され、前記本体１０内に収容されたスティック化粧品Ｓの変形または破損を防止することができるようになる。
【００６８】
前記第２オーバーキャップ７０は、化粧道具９０の塗布部９４を覆いながら本体１０に着脱可能に結合されて前記塗布部９４が外部異物によって汚染されないように保護する。
【００６９】
本発明の一実施例に係るスティック型化粧品容器の図面では、本体１０と第１、２オーバーキャップ６０、７０が突起と溝によって締結されるものを示したが、これに限定されるものではなく、アンダーカット結合、強制嵌合結合、磁石と磁性体による結合など、第１、２オーバーキャップ６０、７０が本体１０から容易に結合または分離することができる範囲内で多様な方式の締結構造を有することができる。
【００７０】
図４ないし図７は本発明の一実施例に係るスティック型化粧品容器の使用を例示した図面であって、これを参照して本発明の一実施例に係るスティック型化粧品容器の使用過程について説明する。
【００７１】
図４は本発明の実施例によって本体から第１オーバーキャップを分離する形態を例示した断面図であり、図５は本発明の実施例によって本体を回転させてスティック化粧品を外部に引き出す形態を例示した断面図であり、図６は本発明の実施例によって本体から第２オーバーキャップを分離する形態を例示した断面図であり、図７は本発明の実施例によって使用が終了したスティック型化粧品容器の断面図である。
【００７２】
本発明の一実施例に係るスティック型化粧品容器を使用するためには、まず図４に示すように、本体１０から第１オーバーキャップ６０を分離して案内管３０を外部に露出させる。
【００７３】
その後、図５に示すように、片手で案内管３０を握り、もう片方の手で本体１０を回転させると前記本体１０の内側に結合された作動部材２０が本体１０とともに回転する。
【００７４】
この時、前記作動部材２０は回転される一方、化粧品皿４０は使用者が握っている案内管３０によって回転が制限されるので、前記化粧品皿４０が案内管３０に沿って上側に移動しながら前記化粧品皿４０に付着されたスティック化粧品Ｓが案内管３０の入口部３２を介して外部に引き出される。
【００７５】
その後、前記案内管３０外部に引き出されたスティック化粧品Ｓを肌につけて塗った後、前記本体１０を反対方向に回転させてスティック化粧品Ｓを案内管３０内側に挿入した後、前記第１オーバーキャップ６０で案内管３０を覆いながら本体１０と結合して閉じる。
【００７６】
一方、化粧道具９０を利用して肌に塗布された化粧品を広く伸ばして塗ろうとする場合には、図６に示すように、本体１０から第２オーバーキャップ７０を分離して化粧道具９０を外部に露出させる。
【００７７】
その後、前記化粧道具９０の塗布部９４を、化粧品を塗った肌につけて擦りながら化粧品を広く伸ばして塗る。
【００７８】
化粧が終了した後には、前記化粧道具９０の整列部９６を道具本体９２から握って抜き、塗布部９６を中央に集めた後、前記第２オーバーキャップ７０で化粧道具９０を覆いながら本体１０と再び結合して保管または携帯する。
【００７９】
この時、図７の部分拡大図面に示すように、作動部材２０と案内管３０の間の隙間が第１密閉リングＲ１によって密閉され、作動部材２０と道具結合部材５０の間の隙間が第２密閉リングＲ２によって密閉されると同時に、案内管３０の入口部３２が第１オーバーキャップ６０の密閉部材６２によって密閉される。
【００８０】
以上のように、本説明では、具体的な構成要素などのような特定の事項と限定された実施例及び図面によって説明されたが、これは本発明のより全般的な理解を助けるために提供されたものに過ぎず、本発明は上記の実施例に限定されるものではなく、本発明が属する分野で通常の知識を有する者であれば、かかる記載から多様な修正及び変形が可能である。
【００８１】
したがって、本発明の思想は説明された実施例に局限して定められてはならず、後述する請求の範囲だけでなく、本請求の範囲と均等か等価的な変形を伴うすべては本発明の思想の範疇に属するといえる。
【符号の説明】
【００８２】
１０  本体
１２  回転作動溝
２０  作動部材
２２  回転作動突起
２３  第１密閉リング挿入溝
２４  ネジ突起
２５  第２密閉リング挿入溝
３０  案内管
３２  入口部
３６  回転防止突起
４０  化粧品皿
４２  皿部
４４  ネジ結合部
４４ａ  ネジ溝
４６  回転防止溝
４８  結合孔
５０  道具結合部材
５２  道具結合溝
６０  第１オーバーキャップ
６２  密閉部材
７０  第２オーバーキャップ
８０  密閉栓
９０  化粧道具
Ｓ  スティック化粧品
Ｒ１  第１密閉リング
Ｒ２  第２密閉リング
【図１】
2020179164.tif 000003
【図２】
2020179164.tif 000004
【図３】
2020179164.tif 000005
【図４】
2020179164.tif 000006
【図５】
2020179164.tif 000007
【図６】
2020179164.tif 000008
【図７】
2020179164.tif 000009